(57)【要約】      （修正有）【課題】子供が自ら振り返りを行うだけではなく、親が、子供の振り返りに対して、頑張りを認め、褒めるなどの評価を返すことができ、親子でやり取りをすることで、子供にやる気を出させて継続させることができる、親子交換手帳を提供する。【解決手段】子供と親との間で共に使用される親子交換手帳１０であって、子供の毎日の予定を記載すると共に予定の事柄に対する日々の振り返りコメントを記載できる各月ごとの月間予定振り返りページ１１と、日々の生活記録を記載できる月間生活記録メモページとを備え、月間予定振り返りページ１１は、毎日の予定の記載及び日々の振り返りコメントを記入することができる暦日欄１３と、前記暦日欄１３に隣接して設けられた週振り返り欄１４と、暦日欄１３及び週振り返り欄１４に隣接して設けられた月振り返り欄１５とを有する。【選択図】図１
0003217224.tif 000002
【実用新案登録請求の範囲】
【請求項１】
子供と親との間で共に使用される親子交換手帳であって、
子供の毎日の予定を記載すると共に予定の事柄に対する日々の振り返りコメントを記載できる各月ごとの月間予定振り返りページと、日々の生活記録を記載できる月間生活記録メモページとを備え、
前記月間予定振り返りページは、毎日の予定の記載及び日々の振り返りコメントを記入することができる暦日欄と、前記暦日欄に隣接して設けられた週振り返り欄と、前記暦日欄及び週振り返り欄に隣接して設けられた月振り返り欄とを有することを特徴とする親子交換手帳。
【請求項２】
前記暦日欄は、各週が一列に表記され週毎にページの上下方向に併記された各週暦日部により構成され、前記週振り返り欄は、前記各週暦日部の最後の日の記載欄の側方に夫々対応して設けられ、前記月振り返り欄は最後の前記週振り返り欄の側方に設けられていることを特徴とする請求項１記載の親子交換手帳。
【請求項３】
前記暦日欄は、毎日の予定記載欄及び前記予定記載欄に隣接して設けられた日々の振り返りコメント記載欄を有し、前記週振り返り欄及び前記月振り返り欄は、子供振り返りコメント欄と、前記子供振り返りコメント欄に隣接して設けられた親コメント欄とを夫々有することを特徴とする請求項１記載の親子交換手帳。
【請求項４】
前記月間生活記録メモページは、暦日に応じて子供が記載する起床時間記載欄と、朝食摂取記載欄と、就寝時間記載欄とを有すると共に、前記就寝時間記載欄に隣接して設けられた、子供の興味のある事柄を記載する子供記載欄と、親子のいずれもが利用できるフリースペース欄を有していることを特徴とする請求項１記載の親子交換手帳。
【請求項５】
前記暦日欄の側方には隣接して当該月度における子供の月度目標欄が設けられていることを特徴とする請求項１記載の親子交換手帳。
【請求項６】
前記暦日欄を構成する各暦日部には、夫々、前記月度目標欄に記載される月度目標を達成するためのアイコンと、子供の感情を表すアイコンとが表記されていることを特徴とする請求項５記載の親子交換手帳。
【請求項７】
前記週振り返り欄の前記親コメント欄内には、親が子供を評価するポイントマークが夫々設けられており、前記月振り返り欄の前記親コメント欄内には、前記ポイントマークの当該月のポイント合計値が視認可能なポイントマークが設けられていることを特徴とする請求項３記載の親子交換手帳。
【考案の詳細な説明】
【技術分野】
【０００１】
本考案は、子供が振り返りを行うことで、成長と自立を促進するための子供向けに特化させた手帳であって、更に言えば、子供と親との間で共に使用される親子交換手帳に関するものである。
【背景技術】
【０００２】
従来から、ノートなどに、その日の行動などを記録することにより、振り返りを行い、子供の成長を促し、自立を促進することの試みはなされていた（例えば、特許文献１〜３等参照）。
【０００３】
しかしながら、親が、子供の振り返りに対して、週単位や月単位などで、短期的や長期的に、その頑張りを認め、褒めるなどの評価を返して、親子でやり取りをすることで、やる気を出させるものは見聞されず、子供は、自分自身だけで孤独に振り返りを行うことになるので、多くの子供は、やる気をなくし、継続できず、途中で止めてしまうというケースが多々あった。
【先行技術文献】
【特許文献】
【０００４】
【特許文献１】実公昭４４−１８４９３号公報
【特許文献２】実用新案登録第３１００９１９号公報
【特許文献３】特開２０１５−１００９３６号公報
【考案の概要】
【考案が解決しようとする課題】
【０００５】
本考案は、以上のような従来の問題点を解消するためのものであって、その課題は、子供が自ら振り返りを行うだけではなく、親が、子供の振り返りに対して、頑張りを認め、褒めるなどの評価を返すことができ、親子でやり取りをすることで、子供にやる気を出させて継続させることができる、親子交換手帳を提供することにある。
【課題を解決するための手段】
【０００６】
前記課題を解決するために、請求項１記載の考案にあっては、子供と親との間で共に使用される親子交換手帳であって、子供の毎日の予定を記載すると共に予定の事柄に対する日々の振り返りコメントを記載できる各月ごとの月間予定振り返りページと、日々の生活記録を記載できる月間生活記録メモページとを備え、前記月間予定振り返りページは、毎日の予定の記載及び日々の振り返りコメントを記入することができる暦日欄と、前記暦日欄に隣接して設けられた週振り返り欄と、前記暦日欄及び週振り返り欄に隣接して設けられた月振り返り欄とを有することを特徴とする。
【０００７】
従って、請求項１記載の考案にあっては、子供は、日々の振り返りを行うに際し、該当する日の自分の予定を参照することができ、親は、子供の予定と振り返りとを並んで見ることができる。
【０００８】
請求項２記載の考案にあっては、前記暦日欄は、各週が一列に表記され週毎にページの上下方向に併記された各週暦日部により構成され、前記週振り返り欄は、前記各週暦日部の最後の日の記載欄の側方に夫々対応して設けられ、前記月振り返り欄は最後の前記週振り返り欄の側方に設けられていることを特徴とする。
【０００９】
従って、請求項２記載の考案にあっては、前記週振り返り欄は、各週暦日部の最後の日の記載欄の側方に夫々設けられ、前記月振り返り欄は、最後の前記週振り返り欄の側方に設けられているので、いずれも、その週及びその月の振り返りを見返すのが容易である。
【００１０】
請求項３記載の考案にあっては、前記暦日欄は、毎日の予定記載欄及び前記予定記載欄に隣接して設けられた日々の振り返りコメント記載欄を有し、前記週振り返り欄及び前記月振り返り欄は、子供振り返りコメント欄と、前記子供振り返りコメント欄に隣接して設けられた親コメント欄とを夫々有することを特徴とする。
【００１１】
従って、請求項３記載の考案にあっては、親は、子供の日々の振り返りだけでなく、総括的な前記週振り返り欄及び前記月振り返り欄における前記子供振り返りコメント欄を参照して子供に対するコメントを記入することができる。
【００１２】
請求項４記載の考案にあっては、前記月間生活記録メモページは、暦日に応じて子供が記載する起床時間記載欄と、朝食摂取記載欄と、就寝時間記載欄とを有すると共に、前記就寝時間記載欄に隣接して設けられた、子供の興味のある事柄を記載する子供記載欄と、親子のいずれもが利用できるフリースペース欄を有していることを特徴とする。
【００１３】
従って、請求項４記載の考案にあっては、子供は、前記起床時間記載欄と、前記朝食摂取記載欄と、前記就寝時間記載欄という健康的に生活するうえで重要な事項を記録できるうえに、前記子供記載欄及び前記フリースペース欄に注意が引かれ、ページを開きたい気持ちになる。
【００１４】
請求項５記載の考案にあっては、前記暦日欄の側方には隣接して当該月度における子供の月度目標欄が設けられていることを特徴とする。
【００１５】
従って、請求項５記載の考案にあっては、前記月度目標欄に目標を立てておけば、子供は、日々の予定を組み易く習慣化し易い。
【００１６】
請求項６記載の考案にあっては、前記暦日欄を構成する各暦日部には、夫々、前記月度目標欄に記載される月度目標を達成するためのアイコンと、子供の感情を表すアイコンとが表記されていることを特徴とする。
【００１７】
従って、請求項６記載の考案にあっては、子供が前記月度目標欄に記載される月度目標を達成するためのアイコンを円印で囲むことにより、親は子供の、子供は自身の月度目標の遂行に向かっての努力を確認でき、子供の言葉には表し難い感情を、感情を表すアイコンを円印で囲むなどして子供は気楽に記入ができ、一方、親は、子供の気持ちを直観的に視認できる。
【００１８】
請求項７記載の考案にあっては、前記週振り返り欄の前記親コメント欄内には、親が子供を評価するポイントマークが夫々設けられており、前記月振り返り欄の前記親コメント欄内には、前記ポイントマークの当該月のポイント合計値が視認可能なポイントマークが設けられていることを特徴とする。
【００１９】
従って、請求項７記載の考案にあっては、子供は、週ごとに親からポイントをもらい、月ごとに合計ポイントをもらうことになる。
【考案の効果】
【００２０】
請求項１記載の親子交換手帳にあっては、親が、子供の手帳を使う取り組みと、振り返りに対して、週単位や月単位などで、短期的や長期的かつ反復継続的に、その頑張りを認め、褒めるなどの評価を返して、親子双方向にやり取りを繰り返すことで、子供のやる気を出させて継続させることができる。
【００２１】
よって、ひいては、子供の成長を促し、自立を促進することに寄与する。
【００２２】
請求項２記載の親子交換手帳にあっては、前記週振り返り欄及び前記月振り返り欄は、いずれも、その週及びその月の振り返りを見返すのが容易であるので、子供と親共に、これらの欄を効率的に記載することができ、また、評価することができる。
【００２３】
請求項３記載の親子交換手帳にあっては、親は、子供の日々の振り返りだけでなく、総括的な前記週振り返り欄及び前記月振り返り欄における前記子供振り返りコメント欄を参照することができるので、親は、前記親のコメント欄に、子供のコメントにそのまま応えるように子供を評価するコメントを記載することができる。
【００２４】
請求項４記載の親子交換手帳にあっては、子供は、前記起床時間記載欄と、前記朝食摂取記載欄と、前記就寝時間記載欄という健康的に生活するうえで重要な事項を記録できるうえに、前記子供記載欄及び前記フリースペース欄に注意が引かれ、ページを開きたい気持ちになるので、子供は、良い生活習慣を行っているか否かを記録して確認するという良い習慣を身につけるでき、親は、そのチェックを行うことができる。
【００２５】
請求項５記載の親子交換手帳にあっては、前記月度目標欄に目標を立てておけば、子供は、日々の予定を組み易く習慣化し易いことから、より効率的な予定組みの作業を行うことができ、振り返りを行う際も常にこの目標を意識することができる。
【００２６】
請求項６記載の親子交換手帳にあっては、子供が前記月度目標欄に記載される月度目標を達成するためのアイコンを円印で囲むことにより、親は子供の、子供は自身の月度目標の遂行に向かっての努力を確認でき、子供の言葉には表し難い感情を、感情を表すアイコンを円印で囲むなどして子供は気楽に記入ができ、一方、親は、子供の気持ちを直観的に視認できるので、子供の努力の度合いや子供の感情など状態を把握できる機能的な手帳とすることができる。
【００２７】
請求項７記載の親子交換手帳にあっては、子供は、週ごとに親からポイントをもらい、月ごとに合計ポイントをもらうことになることから、ゲーム感覚で、振り返りを行うことができ、更にやる気を出させて継続させることができる。
【図面の簡単な説明】
【００２８】
【図１】図１は、本考案に係る親子交換手帳の一実施形態において、月間予定振り返りページの構成を示す平面図である。
【図２】図２は、本考案に係る親子交換手帳の一実施形態において、月間生活記録メモページの構成を示す平面図である。
【考案を実施するための形態】
【００２９】
以下、本考案に係る親子交換手帳を、一実施形態に基づき、図面を参照して説明する。
【００３０】
先ず、実施形態の構成について説明する。
図１及び図２は、本考案に係る実施形態の親子交換手帳１０を説明するための図である。
【００３１】
この実施形態の親子交換手帳１０は、図１及び図２に示すように、子供と親との間で共に使用される親子交換手帳であって、子供の毎日の予定を記載すると共に予定の事柄に対する日々の振り返りコメントを記載できる各月ごとの月間予定振り返りページ１１，１１と、日々の生活記録を記載できる月間生活記録メモページ１２，１２とを備えている。
【００３２】
なお、この親子交換手帳１０は、１月から１２月までの１年間分で編集されているが、本実施形態では、一例として、４月分における月間予定振り返りページ１１，１１と、月間生活記録メモページ１２，１２のみを抜粋して図示している。
【００３３】
ここで、月間予定振り返りページ１１，１１は、図１に示すように、見開きとなる２ページに、毎日の予定の記載及び日々の振り返りコメントを記入することができる暦日欄１３と、暦日欄１３に隣接して設けられた週振り返り欄１４，・・・と、暦日欄１３及び週振り返り欄１４に隣接して設けられた月振り返り欄１５とを有する。
【００３４】
暦日欄１３は、各週が横一列に表記され週毎にページの上下方向に併記された各週暦日部１６，・・・により構成され、週振り返り欄１４は、各週暦日部１６，・・・の最後の日の記載欄１７の右側側方に隣接して夫々対応して設けられ、月振り返り欄１５は最後の週振り返り欄１４の下側側方であって、暦日欄１３の下方に設けられている。
【００３５】
さらに、暦日欄１３は、子供が記載する、上側の毎日の予定記載欄１８及び記載欄１７に隣接して下側に設けられた日々の振り返りコメント記載欄１９を有し、週振り返り欄１４は、上側の子供振り返りコメント欄２０と、子供振り返りコメント欄２０に隣接して設けられた下側の親コメント欄２１とを有する。
【００３６】
また、月振り返り欄１５も、左側の子供振り返りコメント欄２２と、子供振り返りコメント欄２２に隣接して設けられた右側の親コメント欄２３とを有する。
【００３７】
暦日欄１３を構成する各暦日部２４，・・・には、夫々、後述する月度目標欄３４〜３７を達成するための下側のアイコン２５〜２８と、子供の感情を表す上側のアイコン２９〜３１とが表記されている。
【００３８】
ここで、下側のアイコン２５〜２８において、左側から、アイコン２５は、学習の象徴として鉛筆のアイコンであり、アイコン２６は、読書の象徴として本のアイコンであり、アイコン２７は、運動の象徴として靴のアイコンであり、アイコン２８は、手伝いの象徴としてエプロンのアイコンである。
【００３９】
また、上側のアイコン２９〜３１において、左側から、アイコン２９は、嬉しかったり楽しかったりするときの気分の象徴としてにっこり笑った顔のアイコンであり、アイコン３０は、悲しいときの気分の象徴として泣き顔のアイコンであり、アイコン３１は、怒っているときの気分の象徴として怒り顔のアイコンである。
【００４０】
また、週振り返り欄１４，・・・の親コメント欄２１内には、親が子供を評価する点線で表記された星形のポイントマーク３２が夫々設けられており、月振り返り欄１５の親コメント欄２３内には、ポイントマーク３２の当該月のポイント３２の合計値が視認可能な点線で表記された５つの菱形から成る全体星形のポイントマーク３３が設けられている。いずれのポイントマーク３２，３３も、点線の内側をペンで塗りつぶせば、色付きの星形マークとなり、ポイントとして成立するようになっている。
【００４１】
さらに、暦日欄１３の左側側方には隣接して当該月度における子供の月度目標欄３４〜３７が設けられている。
【００４２】
ここで、月度目標欄３４〜３７において、上側から、月度目標欄３４は、学習の象徴である鉛筆が記載された学習の月度目標欄であり、月度目標欄３５は、読書の象徴である本が記載された読書の月度目標欄であり、月度目標欄３６は、運動の象徴である靴が記載された運動の月度目標欄であり、月度目標欄３７は、手伝いの象徴であるエプロンが記載された手伝いの月度目標欄である。
【００４３】
具体的には、図１に例示したように、暦日欄１３を構成する各暦日部２４の２０１８年４月１１日の水曜日には、小テストの予定があり、復習を頑張った所が出たので、続けたい、との子供の振り返りが記録されている。また、鉛筆のアイコン２５とエプロンのアイコン２８が円印で囲まれていることから、学習と手伝いを頑張ったことが分かる。さらに、にっこり笑った顔のアイコン２９が円印で囲まれていることから、気分が嬉しかったり楽しかったりした１日であったことも分かる。
【００４４】
また、週振り返り欄１４において、子供振り返りコメント欄２０には、「復習が大切だと思った。友達にも教えてあげたい。」とのコメントが記入され、それに応じて、親コメント欄２１には、「頑張っていたのを見ていました。友達にも教えてあげる優しさ大切にしてね。」との評価するコメントが記入されている。
【００４５】
また、月振り返り欄１５の子供振り返りコメント欄２２には、「今月は、規則正しい生活ができた！テストの成績も上がった！来月も続けたい。」とのコメントが記入され、親コメント欄２３は、未だ記入されていない状態である。
【００４６】
月度目標欄の一例として、読書の月度目標欄３５には、「理科の授業で習った科学に関係のある本をよむ。」と記入されている。
【００４７】
一方、月間生活記録メモページ１２，１２は、図２に示すように、暦日に応じて縦に時系列に、子供が記載する起床時間記載欄３８と、朝食摂取記載欄３９と、就寝時間記載欄４０とを有すると共に、就寝時間記載欄４０に隣接して設けられた、子供の興味のある事柄を記載する子供記載欄４１と、親子のいずれもが利用できるフリースペース欄４２を有している。また、子供記載欄４１の右側側方には、その日の天気を表す晴れマーク４３、曇りマーク４４、雨マーク４５、雪マーク４６が設けられており、対応するマークを円印で囲むことにより、その日の天気を記録できるようになっている。
【００４８】
この月間生活記録メモページ１２，１２は、月間予定振り返りページ１１の裏表紙側に配置され、見開きとなる２ページに設けられており、ページの上下方向に沿って設けられた起床時間記載欄３８と、起床時間記載欄３８の右側に隣接して設けられた朝食摂取記載欄３９と、朝食摂取記載欄３９の右側に隣接して設けられた就寝時間記載欄４０と、就寝時間記載欄４０の右側に隣接して設けられた子供記載欄４１と、子供記載欄４１の右側に隣接して設けられた晴れマーク４３、曇りマーク４４、雨マーク４５、雪マーク４６により構成される天気マーク欄４７とが、左側１ページに表示されており、右側１ページ全体が、フリースペース欄４２となっている。
【００４９】
具体的には、図２に例示したように、例えば、２０１８年４月１日には、子供は、６時３０分に起床し、朝食はしっかりと摂り、２２時に就寝したことが分かる。また、その日は、晴れであったことも分かる。
【００５０】
また、子供記載欄４１には、「オランダですしが人気」であるというトピックスを子供が記載しており、親は、それを見て、子供が社会情勢に興味を持っているという情報を得ることができる。なお、この子供記載欄４１に記載する事柄としては、トピックスに限らず、面白い雑学や勉強となるクイズなど、その他、子供の興味がある事柄を、制限をかけずに記載してもよい。
【００５１】
また、見開きとなる２ページの右側１ページ全体を占めるフリースペース欄４２には、子供が「来月やること」と子供が「おばあちゃんといったコンサートの感想」が記載されていると共に、このコンサートのチケット４８が裏面を糊で、友達から来たレター４９は、四隅を粘着テープで、夫々貼設されている。右上には、ハート形のシール５０と、星形のシール５１も貼設されている。なお、このフリースペース欄４２には、これらのことに限らず、その他、行った場所のスタンプを押したりするなど、親子のいずれもが自由に利用してよい。
【００５２】
なお、図示は省略したが、表紙裏の見開きとなる２ページには、日本地図が表記されており、各都道府県に関する情報及びニュースや行った場所での出来事などを書き込める欄も設けられており、１年を通して楽しく日本地図を学べるようになっている。
【００５３】
また、巻末には、上記した集めたポイントの年間を通しての合計値を記録できるスペースも設けられており、子供を称える賞状も付いている。
【００５４】
次に、この実施形態の作用効果について説明する。
【００５５】
この本考案の実施形態の親子交換手帳１０は、図１及び図２に示すように、上記した構成なので、親が、子供の手帳を使う取り組みと、振り返りに対して、週単位や月単位などで、短期的や長期的かつ反復継続的に、その頑張りを認め、褒めるなどの評価を返して、親子双方向にやり取りを繰り返すことで、子供のやる気を出させて継続させることができる。
【００５６】
よって、ひいては、子供の成長を促し、自立を促進することに寄与する。
【００５７】
また、週振り返り欄１４及び月振り返り欄１５は、いずれも、その週及びその月の振り返りを見返すのが容易であるので、子供と親共に、これらの欄を効率的に記載することができ、また、評価することができる。
【００５８】
さらに、親は、子供の日々の振り返りだけでなく、総括的な週振り返り欄１４及び月振り返り欄１５における子供振り返りコメント欄２０，２２を参照することができるので、親は、親のコメント欄２１，２３に、子供のコメントにそのまま応えるように子供を評価するコメントを記載することができる。
【００５９】
また、月度目標欄３４〜３７に目標を立てておけば、子供は、日々の予定を組み易く習慣化し易いことから、より効率的な予定組みの作業を行うことができ、振り返りを行う際も常にこの目標を意識することができる。
【００６０】
さらに、子供が月度目標欄３４〜３７に記載される月度目標を達成するためのアイコン２５〜２８を円印で囲むことにより、親は子供の、子供は自身の月度目標の遂行に向かっての努力を確認でき、子供の言葉には表し難い感情を、感情を表すアイコン２９〜３１を円印で囲むなどして子供は気楽に記入ができ、一方、親は、子供の気持ちを直観的に視認できるので、子供の努力の度合いや子供の感情など状態を把握できる機能的な手帳とすることができる。
【００６１】
また、子供は、週ごとに親からポイントをもらい、月ごとに合計ポイントをもらうことになることから、ゲーム感覚で、振り返りを行うことができ、更にやる気を出させて継続させることができる。
【００６２】
さらに、子供は、起床時間記載欄３８，・・・と、朝食摂取記載欄３９，・・・と、就寝時間記載欄４０，・・・という健康的に生活するうえで重要な事項を記録できるうえに、子供記載欄４１及びフリースペース欄４２に注意が引かれ、ページを開きたい気持ちになるので、子供は、良い生活習慣を行っているか否かを記録して確認するという良い習慣を身につけるでき、親は、そのチェックを行うことができる。
【００６３】
また、月間予定振り返りページ１１，１１と、月間生活記録メモページ１２，１２は、いずれも、見開きとなる２ページに表示されているので、親子共に見やすいうえに、記入しやすい。
【００６４】
さらに、表紙裏の見開きとなる２ページには、興味を持たせる日本地図を載せ、巻末には、年間を通した頑張りを評価する賞状がついているので、更に一層、子供は、やる気を出し、継続することができる。
【００６５】
以上、本考案に係る親子交換手帳の実施形態について図面を参照して詳述してきたが、具体的な構成は、この一実施形態に限らず、本考案の要旨を逸脱しない程度の設計的変更は、本考案に含まれる。
【００６６】
例えば、上記した実施形態では、親子交換手帳１０を、１年間を通した編集のものとしたが、これに限定されず、効果が出るか試すためのものとして、数か月間を通した編集のものとして実施してもよい。
【００６７】
また、上記した実施形態では、月間予定ページ１１，１１、暦日欄１３、暦日部２４，・・・に予め年月日を印刷したが、これに限定されず、年月日を空欄として、子供又は親が後で記入し、いつでも開始できるようにして実施してもよい。
【産業上の利用可能性】
【００６８】
本考案に係る親子交換手帳は、多くの人々が購入し、使用することができるので、産業上の利用可能性を有している。
【符号の説明】
【００６９】
１０    親子交換手帳
１１    月間予定振り返りページ
１２    月間生活記録メモページ
１３    暦日欄
１４    週振り返り欄
１５    月振り返り欄
１６    週暦日部
１７    記載欄
１８    予定記載欄
１９    振り返りコメント記載欄
２０    子供振り返りコメント欄
２１    親コメント欄
２２    子供振り返りコメント欄
２３    親コメント欄
２４    暦日部
２５    アイコン
２６    アイコン
２７    アイコン
２８    アイコン
２９    アイコン
３０    アイコン
３１    アイコン
３２    ポイントマーク
３３    ポイントマーク
３４    月度目標欄
３５    月度目標欄
３６    月度目標欄
３７    月度目標欄
３８    起床時間記載欄
３９    朝食摂取記載欄
４０    就寝時間記載欄
４１    子供記載欄
４２    フリースペース欄
４３    晴れマーク
４４    曇りマーク
４５    雨マーク
４６    雪マーク
４７    天気マーク欄
４８    チケット
４９    レター
５０    シール
５１    シール
【図１】
0003217224.tif 000003
【図２】
0003217224.tif 000004